(57)【特許請求の範囲】
【請求項１】
光源と、前記光源を支持して照明器具の器具本体に取り付けられる取付部材と、前記光源を囲い、前記光源から放射される光を透過するように構成されたカバーとを備え、
前記カバーは、前記光源を前方から覆うように配置される第１透光部と、前記第１透光部を挟んで前記光源と対向するように配置される第２透光部と、前記第１透光部と前記第２透光部とを連結する連結部とを有しており、
前記第１透光部は、前記光源との距離が相対的に近い第１領域の周囲に、前記距離が前記第１領域よりも遠い第２領域を配置するように構成され、
前記第１透光部の前記第１領域は、前記第１透光部の前記第２領域と比較して、前記光源から放射される光を拡散させる割合が高くなるように構成されていることを特徴とする光源ユニット。
【請求項２】
前記第１透光部の前記第１領域は、前記第１透光部の前記第２領域よりも、前記光源から放射される光の拡散性を高くするように構成されていることを特徴とする請求項１記載の光源ユニット。
【請求項３】
前記第１透光部は、前記光源から離れる向きに突出する曲面形状に形成されていることを特徴とする請求項１又は２記載の光源ユニット。
【請求項４】
前記第１透光部の前記第１領域は、前記第１透光部の前記第２領域よりも厚みを厚くするように構成されていることを特徴とする請求項１〜３のいずれか１項に記載の光源ユニット。
【請求項５】
前記第１透光部は、前記光源と対向して前記光源から放射される光が入射する入射面と、前記入射面を挟んで前記光源と対向し、前記入射面から入射した光が出射する出射面とを有し、
前記第１透光部の前記第１領域の前記出射面に、複数のプリズムが設けられており、前記複数のプリズムはそれぞれ三角柱状に形成され、さらに、前記複数のプリズムはそれぞれ、３つの側面のうちの１つの側面で前記出射面と繋がり、かつ、前記１つの側面を除く２つの側面のうちで前記光源との距離が近い方の側面を、前記２つの側面のうちで前記光源との距離が遠い方の側面よりも面積を大きくするように形成されていることを特徴とする請求項１〜４のいずれか１項に記載の光源ユニット。
【請求項６】
前記第１透光部は、前記光源と対向して前記光源から放射される光が入射する入射面と、前記入射面を挟んで前記光源と対向し、前記入射面から入射した光が出射する出射面とを有し、
前記第１透光部の前記第１領域の前記入射面に、複数のプリズムが設けられており、前記複数のプリズムはそれぞれ三角柱状に形成され、さらに、前記複数のプリズムはそれぞれ、３つの側面のうちの１つの側面で前記入射面と繋がり、かつ、前記１つの側面を除く２つの側面のうちで前記光源との距離が近い方の側面を、前記２つの側面のうちで前記光源との距離が遠い方の側面よりも面積を大きくするように形成されていることを特徴とする請求項１〜５のいずれか１項に記載の光源ユニット。
【請求項７】
前記第１透光部の前記第１領域は、前記第２透光部と前記連結部の連結箇所と、前記光源とを結ぶ直線が前記第１透光部と交差する箇所よりも前記光源との距離が近い領域であることを特徴とする請求項１〜６のいずれか１項に記載の光源ユニット。
【請求項８】
前記第２透光部は、前記光源からの距離に比較して、前記光源と対向する面の幅を大きくした平坦な板状に形成されていることを特徴とする請求項１〜７のいずれか１項に記載の光源ユニット。
【請求項９】
請求項１〜８のいずれか１項の光源ユニットと、前記光源ユニットを支持する器具本体とを備えたことを特徴とする照明器具。
【発明の詳細な説明】
【技術分野】
【０００１】
本発明は、光源ユニット及び照明器具に関し、より詳細には、光源の光を拡散するカバーを備えた光源ユニット、及び当該光源ユニットを備えた照明器具に関する。
【背景技術】
【０００２】
従来例として、特許文献１記載の照明器具を例示する。特許文献１記載の照明器具は、器具本体と、本体カバーとを備える。器具本体は、天井等に取り付けるための取付部を有して長尺状に形成される。また、器具本体は、複数の発光素子（発光ダイオード）が長手方向に沿って配置される。本体カバーは、透光性を有し、これら複数の発光素子を覆うように器具本体に装着される。特許文献１記載の照明器具は、天井や壁などに取付部によって器具本体が取り付けられ、発光素子から放射される光が、透光性を有する本体カバーを透過して照射されるように構成されている。
【先行技術文献】
【特許文献】
【０００３】
【特許文献１】実用新案登録第３１８６４０４号公報
【発明の概要】
【発明が解決しようとする課題】
【０００４】
ところで、特許文献１記載の照明器具では、照明器具の外観に現れるカバー（本体カバー）の長手方向に直交する方向の両端部分が相対的に暗くなって輝度の均斉度が低下しやすく、さらなる改善が望まれている。
【０００５】
本発明の目的は、外観に現れるカバーの輝度の均斉度の向上を図ることができる光源ユニット及び照明器具を提供することである。
【課題を解決するための手段】
【０００６】
本発明の一態様に係る光源ユニットは、光源と、前記光源を支持して照明器具の器具本体に取り付けられる取付部材と、前記光源を囲い、前記光源から放射される光を透過するように構成されたカバーとを備えている。前記カバーは、前記光源を前方から覆うように配置される第１透光部と、前記第１透光部を挟んで前記光源と対向するように配置される第２透光部と、前記第１透光部と前記第２透光部とを連結する連結部とを有している。前記第１透光部は、前記光源との距離が相対的に近い第１領域の周囲に、前記距離が前記第１領域よりも遠い第２領域を配置するように構成されている。前記第１透光部の前記第１領域は、前記第１透光部の前記第２領域と比較して、前記光源から放射される光を拡散させる割合が高くなるように構成されている。
【０００７】
本発明の一態様に係る照明器具は、前記光源ユニットと、前記光源ユニットを支持する器具本体とを備えている。
【発明の効果】
【０００８】
本発明の光源ユニット及び照明器具は、外観に現れるカバーの輝度の均斉度の向上を図ることができるという効果がある。
【図面の簡単な説明】
【０００９】
【図１】図１は、本発明の実施形態１に係る光源ユニット及び照明器具の斜視図である。
【図２】図２は、同上の光源ユニット及び照明器具の分解斜視図である。
【図３】図３は、同上の照明器具の光源ユニットを外した状態の正面図である。
【図４】図４は、同上の光源ユニットを示し、カバーエンドを省略した側面図である。
【図５】図５は、同上の光源ユニットにおけるカバー本体の変形例１の側面図である。
【図６】図６は、同上の光源ユニットにおけるカバー本体の変形例２の側面図である。
【図７】図７は、同上の光源ユニットにおけるカバー本体の変形例３の側面図である。
【図８】図８は、同上の光源ユニットにおけるカバー本体の変形例４の側面図である。
【図９】図９は、同上の光源ユニットにおけるカバー本体の変形例５の側面図である。
【図１０】図１０は、同上の光源ユニットにおけるカバー本体の変形例６の側面図である。
【図１１】図１１は、本発明の実施形態２に係る光源ユニット及び照明器具の斜視図である。
【発明を実施するための形態】
【００１０】
本発明の実施形態に係る光源ユニット及び照明器具について、図面を参照して詳細に説明する。以下に説明する実施形態１及び実施形態２の照明器具は、例えば、建物の避難経路となる階段の踊り場の壁面に設置される照明器具（いわゆる階段通路誘導灯）である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
本発明の実施形態１に係る照明器具（以下、照明器具と略す）９Ａは、図１及び図２に示すように、本発明の実施形態に係る光源ユニット１と、器具本体３とを備えている。また、照明器具９Ａは、２つの非常用光源ユニット２と、非常用電源ユニット４と、電池ユニット６と、制御ユニット５と、人検知ユニット７とを備えることが好ましい。なお、以下の説明では、特に断りのない限り、図１に示す向きにおいて、光源ユニット１及び照明器具９Ａの上下、左右及び前後の各方向を規定する。すなわち、照明器具９Ａが階段の踊り場の壁面に設置された状態において、鉛直方向を上下方向とし、壁面の法線方向を前後方向とし、正面から見て左右方向を左右方向とする。
【００１２】
器具本体３は、長尺の矩形平板状に形成される背板３０と、長尺の矩形平板状である上板３１及び下板３２とを有する（図２参照）。上板３１は、背板３０の上端における長手方向の両端部を除く部分から背板３０の法線方向に沿って前方へ突出するように形成されている。同じく、下板３２は、背板３０の下端における長手方向の両端部を除く部分から背板３０の法線方向に沿って前方へ突出するように形成されている。ただし、背板３０と上板３１及び下板３２とは、金属板が曲げ加工されることで一体に形成されることが好ましい（図２参照）。
【００１３】
背板３０は、複数（図示例では４つ）の長孔３００を有している。これらの長孔３００は、背板３０の長手方向に沿って間隔を空けて設けられている（図３参照）。これらの長孔３００はそれぞれ、踊り場の壁（コンクリート壁）に埋設されているアンカーボルトが挿通される。そして、これらのアンカーボルトにナットが締め付けられることによって、器具本体３がコンクリート壁に固定される。また、背板３０の長手方向のほぼ中央に、複数（図示例では２つ）の丸孔３０１が長手方向に並ぶように設けられている（図３参照）。これらの丸孔３０１は、常用電源（商用電源）からの給電用の給電線が挿通される、さらに、背板３０の前面における丸孔３０１の近傍には、複数（図示例では３つ）の端子台３３が取り付けられている。これらの端子台３３には、丸孔３０１から引き込まれる給電線や、建物に設置されている自動火災報知設備から火災信号を受信するための信号線などが電気的に接続される。
【００１４】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられることが好ましい（図３参照）。
【００１５】
非常用電源ユニット４は、常用電源から給電される交流電力を直流電力に変換して電池ユニット６を充電する充電回路と、常用電源が停電したときに電池ユニット６から非常用光源ユニット２に供給される直流電流を調整する点灯回路とを有する。さらに、非常用電源ユニット４は、後述する点検スイッチが押操作されたとき、充電回路を強制的に停止し、かつ、電池ユニット６から給電される直流電力で点灯回路に非常用光源ユニット２を点灯させるように構成される。なお、非常用電源ユニット４は、図３に示すように、背板３０の前面における右端の部位に取り付けられることが好ましい。
【００１６】
点検スイッチは、図１及び図３に示すように、合成樹脂製の箱体４０に収容され、下板３２の左端近傍に取り付けられることが好ましい。なお、箱体４０内には、押釦スイッチからなる点検スイッチの他に、赤外線を媒体とするワイヤレス信号を受信する受光素子などが収容されている。箱体４０の下面に、複数の孔４００が設けられている（図１参照）。そして、これらの孔４００を通して点検スイッチの押釦の押操作や、受光素子によるワイヤレス信号の受信が可能となっている。なお、非常用電源ユニット４は、受光素子でワイヤレス信号を受信した場合も、点検スイッチが押操作されたときと同じく、充電回路を強制的に停止し、かつ、電池ユニット６から給電される直流電力で点灯回路に非常用光源ユニット２を点灯させる。
【００１７】
人検知ユニット７は、電波センサ７０と、センサ取付台７１とを有する。電波センサ７０は、ミリ波帯の電波を媒体として人（移動体）を検知し、人を検知したときに人検知信号を制御ユニット５に出力するように構成される。センサ取付台７１は、電波センサ７０を保持し、器具本体３の下板３２における長手方向の中央に取り付けられる（図１〜図３参照）。
【００１８】
制御ユニット５は、常用電源から給電されて動作し、人検知ユニット７（の電波センサ７０）から出力される人検知信号に応じて、光源ユニット１を制御するように構成される。制御ユニット５は、人検知ユニット７から人検知信号が出力されているとき、光源ユニット１に定格点灯するように指示するための制御信号を出力する。また、制御ユニット５は、人検知信号が出力されなくなってから所定の待機時間（例えば、数十秒から数分）が経過したとき、光源ユニット１に消灯又は定格点灯時よりも少ない光量で点灯するように指示するための制御信号を出力する。ただし、制御ユニット５は、常用電源が停電したときは全ての動作を停止する。
【００１９】
光源ユニット１は、図２及び図４に示すように、ＬＥＤモジュール１０と、ＬＥＤモジュール１０が取り付けられる取付部材１１と、ＬＥＤモジュール１０を覆うようにして取付部材１１に取り付けられるカバー１２とを備える。また、光源ユニット１は、ＬＥＤモジュール１０に直流電力を供給する電源ユニット１３を備えることが好ましい。
【００２０】
ＬＥＤモジュール１０は、長尺の矩形板状に形成された実装基板１００を有する。実装基板１００は、その前面に複数のＬＥＤ（発光ダイオード）１０１が左右方向（長手方向）に沿って１列に並ぶように実装されている（図２参照）。なお、実装基板１００は、例えば、左側の端部にコネクタが実装されている。このコネクタは、実装基板１００に形成されている導体と、電源ユニット１３の出力線とを電気的に接続するように構成される。
【００２１】
取付部材１１は、板金によってＵ字状に形成されている。取付部材１１は、長尺かつ矩形板状に形成された底板１１０と、底板１１０の上端及び下端からそれぞれ後方に突出する一対の側板１１１とを有する（図２及び図４参照）。これら一対の側板１１１の後端には、図４に示すように、互いに離れる向き（外向き）に湾曲する引掛部１１２がそれぞれ全長に亘って設けられる。なお、上述したＬＥＤモジュール１０は、例えば、取付部材１１の底板１１０の一部を切り起こすことで形成された爪１１５により、取付部材１１に固定される（図４参照）。
【００２２】
また、取付部材１１は、長手方向における両端寄りの位置において、鉤形の先端を上側の引掛部１１２よりも後方に突出させた一対の引掛金具１１３と、下側の側板１１１の上に配置される一対の引掛ばね１１４とを有している（図２及び図４参照）。なお、一対の引掛ばね１１４はそれぞれ、ねじりコイルばねで構成されている（図４参照）。
【００２３】
電源ユニット１３は、常用電源から供給される交流電力を直流電力に変換し、当該直流電力をＬＥＤモジュール１０に供給して点灯するように構成される。また、電源ユニット１３は、制御ユニット５から出力される制御信号に応じて、ＬＥＤモジュール１０に供給する直流電力を増減するように構成される。つまり、電源ユニット１３は、制御ユニット５から定格点灯するように指示するための制御信号を受け取った場合、ＬＥＤモジュール１０に定格の直流電力（直流電流）を供給する。また、電源ユニット１３は、制御ユニット５から消灯又は定格点灯時よりも少ない光量で点灯するように指示するための制御信号を受け取った場合、ＬＥＤモジュール１０への直流電力の供給を停止する、あるいは、定格よりも少ない直流電力を供給する。なお、電源ユニット１３は、取付部材１１の後面側において、例えば、ねじなどを用いて側板１１１に取り付けられる（図４参照）。
【００２４】
カバー１２は、図２に示すように、カバー本体１４と一対のカバーエンド１５とを有している。カバー本体１４は、透光性を有する合成樹脂（例えば、アクリル樹脂やポリカーボネート樹脂等）により、長手方向（左右方向）の両端が開放された角筒状に形成されている（図４参照）。一対のカバーエンド１５はそれぞれ、カバー本体１４を形成する材料と同じ材料により、矩形板状に形成されている。一方のカバーエンド１５は、カバー本体１４の左端に取り付けられてカバー本体１４の左側の端面を塞いでいる。他方のカバーエンド１５は、カバー本体１４の右端に取り付けられてカバー本体１４の右側の端面を塞いでいる（図２参照）。
【００２５】
ここで、カバー本体１４の後方の壁に設けられている半円筒形の部分を第１透光部１６と呼ぶ。また、カバー本体１４の前方の壁を第２透光部１７と呼ぶ（図４参照）。さらに、第１透光部１６の上端と第２透光部１７の上端を連結しているＬ字形の部分、並びに、第１透光部１６の下端と第２透光部１７の下端を連結しているＬ字形の部分のそれぞれを連結部１８と呼ぶ。なお、カバー本体１４は、一対の突壁部１２０を有している。一対の突壁部１２０は、上側の連結部１８及び下側の連結部１８のそれぞれの後面から後方へ突出するように、カバー本体１４の長手方向（左右方向）の全長に渡って設けられている。また、これら一対の突壁部１２０の後端には、内向き（上側の突壁部１２０では下向き、下側の突壁部１２０では上向き）に突出する突起部１２１がそれぞれ設けられている（図４参照）。カバー１２は、一対の突壁部１２０の突起部１２１がそれぞれ、取付部材１１の一対の側板１１１のうちの対応する側板１１１の引掛部１１２に引っ掛かることにより、取付部材１１の前面を覆うように取付部材１１に取り付けられる。
【００２６】
第１透光部１６、第２透光部１７、連結部１８、一対の突壁部１２０及び一対の突起部１２１は、透光性を有する合成樹脂（例えば、アクリル樹脂やポリカーボネート樹脂等）で一体に形成されている。ただし、少なくとも角筒状の部分（第１透光部１６、第２透光部１７、連結部１８）には、例えば、アクリル樹脂やシリコーン樹脂の微粒子を原料とする光拡散剤が混入されている。そして、第１透光部１６及び第２透光部１７の光透過率（拡散性）は、光拡散剤の混入量に応じて調整可能である。なお、光透過率と拡散性（光拡散性）とは逆比例の関係にあり、光透過率が高くなるにつれて拡散性が低くなり、光透過率が低くなるにつれて拡散性が高くなる。第２透光部１７は、例えば、光透過率が６０［％］〜７０［％］になる程度の光拡散剤が混入されることが好ましい。一方、第１透光部１６は、場所（部位）によって光透過率（拡散性）を変えるように構成されることが好ましい。すなわち、第１透光部１６は、ＬＥＤモジュール１０（のＬＥＤ１０１）との距離が相対的に近い第１領域１６０と、第１領域１６０の上側及び下側の第２領域１６１とに分けられている。ただし、第１領域１６０は、第２透光部１７と連結部１８の連結箇所１８０と、ＬＥＤ１０１（の発光面の中心）とを結ぶ直線αが第１透光部１６と交差する箇所１６２よりもＬＥＤ１０１との距離が近い領域であることが好ましい（図４参照）。そして、第１領域１６０は、光透過率が５０［％］〜６０［％］（好ましくは、５５［％］〜５６［％］）になる程度の光拡散剤が混入されることが好ましい。また、第２領域１６１は、光透過率が７０［％］〜８０［％］になる程度の光拡散剤が混入されることが好ましい。なお、第１透光部１６の第１領域１６０の厚みと、第１透光部１６の第２領域１６１の厚みとが異なっていてもよい。ただし、カバー本体１４は、上述のように光拡散剤の混入量が部位（第１透光部１６、第２透光部１７の第１領域１６０と第２領域１６１）毎に異なっていても、多色成形（例えば、多色押出成形）によって一体に成形可能である。
【００２７】
光源ユニット１は、一対の引掛金具１１３のそれぞれの先端部分を、器具本体３の上板３１に設けられる受け金具３１０に引っ掛けることで器具本体３に仮保持される。そして、光源ユニット１は、一対の引掛ばね１１４の腕部が、器具本体３の下板３２に設けられている引掛板３２０の溝３２００（図３参照）の縁に引っ掛けられることで器具本体３に取り付けられる（図１参照）。
【００２８】
２つの非常用光源ユニット２はそれぞれ、非常用ＬＥＤモジュール２０、取付台２１、ユニットカバー２２などを備えている（図２参照）。非常用ＬＥＤモジュール２０は、非常照明用の光源であるＬＥＤ、ＬＥＤから放射される光の配光を制御するレンズ２０１などを有している。取付台２１は、一対の側壁２１０と、これら一対の側壁２１０同士を連結する連結片とを有している。一対の側壁２１０はそれぞれ、矩形板状に形成されている。非常用ＬＥＤモジュール２０は、連結片の前面に取り付けられている。２つのユニットカバー２２はそれぞれ、２つの取付台２１のうちの対応する取付台２１の連結片の前面、上面及び下面を覆うように構成されている。ただし、非常用ＬＥＤモジュール２０のレンズ２０１は、ユニットカバー２２に設けられている窓孔２２３０に挿通されている（図２参照）。
【００２９】
２つの非常用光源ユニット２のうちの一方の非常用光源ユニット２は、器具本体３の長手方向の一端（左端）に取り付けられる。また、２つの非常用光源ユニット２のうちの他方の非常用光源ユニット２は、器具本体３の長手方向の他端（右端）に取り付けられる。つまり、２つの非常用光源ユニット２は、長尺の器具本体３の長手方向の両端に１つずつ配置される（図１参照）。
【００３０】
光源ユニット１が点灯すると、ＬＥＤモジュール１０（のＬＥＤ１０１）から放射される光がカバー１２を透過して前方へ照射される。このとき、カバー本体１４の第２透光部１７の短手方向（上下方向）の中央部分は、第２透光部１７の短手方向の両端よりもＬＥＤ１０１との距離が相対的に短いため、第２透光部１７の短手方向の両端よりも輝度が高くなりやすい。
【００３１】
これに対して本実施形態の光源ユニット１は、カバー本体１４の第１透光部１６における第１領域１６０の光透過率を、第１透光部１６における第２領域１６１よりも低くしている。言い換えると、本実施形態の光源ユニット１は、カバー本体１４の第１透光部１６における第１領域１６０で光（ＬＥＤモジュール１０から放射される光）が拡散される割合（拡散性）を、第１透光部１６における第２領域１６１で光が拡散される割合（拡散性）よりも高くしている。その結果、光源ユニット１は、第１透光部１６の第１領域１６０で拡散されずに第２透光部１７の中央部分を通過する光を減少させ、外観に現れるカバー１２（の第２透光部１７）の輝度の均斉度の向上を図ることができる。ただし、第１透光部１６の第１領域１６０が広すぎると、第２透光部１７を通過する光量が減少しすぎてしまう可能性がある。したがって、第１領域１６０は、図４に２点鎖線で示す直線αが第１透光部１６と交差する箇所１６２よりもＬＥＤ１０１との距離が近い領域であることが好ましい。第１領域１６０が２本の直線αに挟まれた範囲よりも狭い領域にあれば、外観に現れるカバー１２の輝度の均斉度の向上を図りつつ、第２透光部１７を通過する光量の減少を抑えることができる。
【００３２】
ここで、カバー本体１４の第１透光部１６は、図５に示す変形例１のように、第１領域１６０の厚みを第２領域１６１の厚みよりも厚くするように構成されてもよい。つまり、第１透光部１６は、厚みが厚くなることで光透過率が減少（拡散する割合が上昇）する。その結果、図５に示すカバー本体１４が用いられる光源ユニット１も、外観に現れるカバー１２の輝度の均斉度の向上を図ることができる。なお、第１透光部１６は、短手方向の両端（上端及び下端）から短手方向の中央に向かって徐々に（連続的に）厚みを厚くするように構成されてよい（図５参照）。
【００３３】
カバー本体１４の変形例２を図６に示す。変形例２のカバー本体１４は、第１透光部１６の出射面１６０１に複数のプリズム１６３を有している。これら複数のプリズム１６３はそれぞれ、三角柱状に形成され、第１透光部１６の出射面１６０１において周方向（上下方向）に並ぶように配置されることが好ましい。また、複数のプリズム１６３はそれぞれ、３つの側面のうちの１つの側面で出射面１６０１と繋がり、かつ、残り２つの側面のうちでＬＥＤ１０１との距離が近い方の側面１６３０を、ＬＥＤ１０１との距離が遠い方の側面１６３１よりも面積を大きくするように形成されることが好ましい。各プリズム１６３が上述のように構成されれば、面積の大きい方の側面１６３０から出射する光を、第２透光部１７の短手方向（上下方向）の中央から離れる向きに屈折させることができる。その結果、光源ユニット１は、第２透光部１７の中央部分を通過する光を減少させ、外観に現れるカバー１２（の第２透光部１７）の輝度の均斉度の向上を図ることができる。
【００３４】
カバー本体１４の変形例３を図７に示す。変形例３のカバー本体１４は、第１透光部１６の第２領域１６１における出射面１６０１に複数のプリズム１６３を有している。このように、光源ユニット１は、第１透光部１６の第２領域１６１の出射面１６０１のみに複数のプリズム１６３を有している場合であっても、外観に現れるカバー１２（の第２透光部１７）の輝度の均斉度の向上を図ることができる。
【００３５】
カバー本体１４の変形例４を図８に示す。変形例４のカバー本体１４は、第１透光部１６の入射面１６００に複数のプリズム１６４を有している。これら複数のプリズム１６４はそれぞれ、三角柱状に形成され、第１透光部１６の入射面１６００において周方向（上下方向）に並ぶように配置されることが好ましい。また、複数のプリズム１６４はそれぞれ、３つの側面のうちの１つの側面で入射面１６００と繋がり、かつ、残り２つの側面のうちでＬＥＤ１０１との距離が近い方の側面１６４０を、ＬＥＤ１０１との距離が遠い方の側面１６４１よりも面積を大きくするように形成されることが好ましい。各プリズム１６４が上述のように構成されれば、面積の大きい方の側面１６４０に入射する光を、第２透光部１７の短手方向（上下方向）の中央から離れる向きに屈折させることができる。その結果、光源ユニット１は、第２透光部１７の中央部分を通過する光を減少させ、外観に現れるカバー１２（の第２透光部１７）の輝度の均斉度の向上を図ることができる。
【００３６】
カバー本体１４の変形例５を図９に示す。変形例５のカバー本体１４は、第１透光部１６の第２領域１６１における入射面１６００に複数のプリズム１６４を有している。このように、光源ユニット１は、第１透光部１６の第２領域１６１の入射面１６００のみに複数のプリズム１６４を有している場合であっても、外観に現れるカバー１２（の第２透光部１７）の輝度の均斉度の向上を図ることができる。
【００３７】
カバー本体１４の変形例６を図１０に示す。変形例６のカバー本体１４は、第１透光部１６の第２領域１６１に突起１６５を有している。この突起１６５は、左右方向からみた形状がＶ字状に形成されていることが好ましい。なお、突起１６５は、第１透光部１６の第１領域１６０における上下方向の中央に配置されることが好ましい。変形例６のカバー本体１４は、突起１６５を通過する光を、第２透光部１７の短手方向（上下方向）に沿って突起１６５から離れる向きに屈折させることができる。その結果、光源ユニット１は、第２透光部１７の中央部分を通過する光を減少させ、外観に現れるカバー１２（の第２透光部１７）の輝度の均斉度の向上を図ることができる。
【００３８】
次に、本発明の実施形態２に係る照明器具９Ｂを図１１に示す。ただし、光源ユニット１は、実施形態１の光源ユニット１と同一である。実施形態２における器具本体３は、実施形態１における器具本体３に比べて、前後方向の厚みが薄く、かつ、上下方向の幅が広く（背が高く）形成されている。同様に、実施形態２における２つの非常用光源ユニット２はそれぞれ、実施形態１における２つの非常用光源ユニット２に比べて、取付台２１及びユニットカバー２２の厚みが薄く、かつ、幅が広く形成されている。
【００３９】
上述のように実施形態１、２の光源ユニット１は、光源（ＬＥＤモジュール１０）と、ＬＥＤモジュール１０を支持して照明器具９Ａ、９Ｂの器具本体３に取り付けられる取付部材１１を備えている。また、光源ユニット１は、ＬＥＤモジュール１０を囲い、ＬＥＤモジュール１０から放射される光を透過するように構成されたカバー１２を備えている。カバー１２は、ＬＥＤモジュール１０を前方から覆うように配置される第１透光部１６と、第１透光部１６を挟んでＬＥＤモジュール１０と対向するように配置される第２透光部１７と、第１透光部１６と第２透光部１７とを連結する連結部１８とを有している。第１透光部１６は、ＬＥＤモジュール１０との距離が相対的に近い第１領域１６０の周囲に、ＬＥＤモジュール１０との距離が第１領域１６０よりも遠い第２領域１６１を配置するように構成されている。第１透光部１６の第１領域１６０は、第１透光部１６の第２領域１６１と比較して、ＬＥＤモジュール１０から放射される光を拡散させる割合が高くなるように構成されている。
【００４０】
また、実施形態１、２の照明器具９Ａ、９Ｂは、光源ユニット１と、光源ユニット１を支持する器具本体３とを備えている。
【００４１】
光源ユニット１が上述のように構成されれば、第１透光部１６の第１領域１６０で拡散されずに第２透光部１７の中央部分を通過する光を減少させることができる。その結果、光源ユニット１は、外観に現れるカバー１２（の第２透光部１７）の輝度の均斉度の向上を図ることができる。そして、照明器具９Ａ、９Ｂも光源ユニット１と同様に、外観に現れるカバー１２（の第２透光部１７）の輝度の均斉度の向上を図ることができる。
【００４２】
光源ユニット１において、第１透光部１６の第１領域１６０は、第１透光部１６の第２領域１６１よりも、ＬＥＤモジュール１０から放射される光の拡散性を高くするように構成されていることが好ましい。
【００４３】
光源ユニット１が上述のように構成されれば、第２透光部１７の中央部分を通過する光を減少させ、外観に現れるカバー１２（の第２透光部１７）の輝度の均斉度の向上を図ることができる。
【００４４】
光源ユニット１において、第１透光部１６は、ＬＥＤモジュール１０から離れる向きに突出する曲面形状に形成されていることが好ましい。
【００４５】
光源ユニット１が上述のように構成されれば、ＬＥＤモジュール１０から第１領域１６０までの距離と、ＬＥＤモジュール１０から第２領域１６１までとの距離との差を小さくすることができる。その結果、光源ユニット１は、第２透光部１７において、第２領域１６１で拡散された光の通過する範囲を拡げることにより、外観に現れるカバー１２（の第２透光部１７）の輝度の均斉度の向上を図ることができる。
【００４６】
光源ユニット１において、第１透光部１６の第１領域１６０は、第１透光部１６の第２領域１６１よりも厚みを厚くするように構成されていることが好ましい。
【００４７】
光源ユニット１が上述のように構成されれば、第２透光部１７の中央部分を通過する光を減少させ、外観に現れるカバー１２（の第２透光部１７）の輝度の均斉度の向上を図ることができる。
【００４８】
光源ユニット１において、第１透光部１６は、ＬＥＤモジュール１０と対向してＬＥＤモジュール１０から放射される光が入射する入射面１６００を有することが好ましい。また、第１透光部１６は、入射面１６００を挟んでＬＥＤモジュール１０と対向し、入射面１６００から入射した光が出射する出射面１６０１を有することが好ましい。第１透光部１６の第１領域１６０の出射面１６０１に、複数のプリズム１６３が設けられることが好ましい。複数のプリズム１６３はそれぞれ三角柱状に形成されることが好ましい。さらに、複数のプリズム１６３はそれぞれ、３つの側面のうちの１つの側面で出射面１６０１と繋がるように形成されていることが好ましい。かつ、複数のプリズム１６３はそれぞれ、１つの側面を除く２つの側面１６３０、１６３１のうちの一方の側面１６３０の面積を他方の側面１６３１の面積よりも大きくするように構成されていることが好ましい。なお、一方の側面１６３０は、他方の側面１６３１よりも、ＬＥＤモジュール１０との距離が近いことが好ましい。
【００４９】
光源ユニット１が上述のように構成されれば、複数のプリズム１６３により、第２透光部１７の中央部分を通過する光を減少させ、外観に現れるカバー１２（の第２透光部１７）の輝度の均斉度の向上を図ることができる。
【００５０】
光源ユニット１において、第１透光部１６は、ＬＥＤモジュール１０と対向してＬＥＤモジュール１０から放射される光が入射する入射面１６００を有することが好ましい。また、第１透光部１６は、入射面１６００を挟んでＬＥＤモジュール１０と対向し、入射面１６００から入射した光が出射する出射面１６０１を有することが好ましい。第１透光部１６の第１領域１６０の入射面１６００に、複数のプリズム１６３が設けられることが好ましい。複数のプリズム１６３はそれぞれ三角柱状に形成されることが好ましい。さらに、複数のプリズム１６３はそれぞれ、３つの側面のうちの１つの側面で入射面１６００と繋がるように形成されていることが好ましい。かつ、複数のプリズム１６３はそれぞれ、１つの側面を除く２つの側面１６３０、１６３１のうちの一方の側面１６３０の面積を他方の側面１６３１の面積よりも大きくするように構成されていることが好ましい。なお、一方の側面１６３０は、他方の側面１６３１よりも、ＬＥＤモジュール１０との距離が近いことが好ましい。
【００５１】
光源ユニット１が上述のように構成されれば、複数のプリズム１６３により、第２透光部１７の中央部分を通過する光を減少させ、外観に現れるカバー１２（の第２透光部１７）の輝度の均斉度の向上を図ることができる。
【００５２】
光源ユニット１において、第１透光部１６の第１領域１６０は、第２透光部１７と連結部１８の連結箇所と、ＬＥＤモジュール１０とを結ぶ直線αが第１透光部１６と交差する箇所よりもＬＥＤモジュール１０との距離が近い領域であることが好ましい。
【００５３】
光源ユニット１が上述のように構成されれば、外観に現れるカバー１２の輝度の均斉度の向上を図りつつ、第２透光部１７を通過する光量の減少を抑えることができる。
【００５４】
光源ユニット１において、第２透光部１７は、ＬＥＤモジュール１０からの距離に比較して、ＬＥＤモジュール１０と対向する面の幅を大きくした平坦な板状に形成されていることが好ましい。
【００５５】
光源ユニット１が上述のように構成されれば、外観に現れるカバー１２の表面を平坦にすることで小形に見せることができる。
【符号の説明】
【００５６】
９Ａ、９Ｂ  照明器具
１  光源ユニット
３  器具本体
１０  ＬＥＤモジュール（光源）
１１  取付部材
１２  カバー
１６  第１透光部
１７  第２透光部
１８  連結部
１６０  第１領域
１６１  第２領域
１６３  プリズム
１６００  入射面
１６０１  出射面
１６３０  側面
１６３１  側面
【図１】
0006624567.tif 000002
【図２】
0006624567.tif 000003
【図３】
0006624567.tif 000004
【図４】
0006624567.tif 000005
【図５】
0006624567.tif 000006
【図６】
0006624567.tif 000007
【図７】
0006624567.tif 000008
【図８】
0006624567.tif 000009
【図９】
0006624567.tif 000010
【図１０】
0006624567.tif 000011
【図１１】
0006624567.tif 000012